(57)【要約】【課題】顧客の購買意欲の促進を図る。【解決手段】情報配信装置は、情報入力手段と、嗜好判定手段と、コンテンツ選択手段と、配信手段と、を備える。情報入力手段は、コンテンツデータを再生して表示する表示装置に対する所定の範囲を撮像した撮像画像データを入力する。嗜好判定手段は、前記情報入力手段により入力された前記撮像画像データに基づき、前記表示装置の閲覧者に付属する付属物から予想される嗜好のキーワードを判定する。コンテンツ選択手段は、コンテンツデータと当該コンテンツデータに関連付けられるキーワードとを記憶する記憶部を参照し、前記嗜好判定手段により判定された嗜好のキーワードに基づいてコンテンツデータを選択する。配信手段は、前記コンテンツ選択手段により選択されたコンテンツデータを前記表示装置に配信する。【選択図】図９
2014146242.tif 000002
【特許請求の範囲】
【請求項１】
コンテンツデータを再生して表示する表示装置に対する所定の範囲を撮像した撮像画像データを入力する情報入力手段と、
前記情報入力手段により入力された前記撮像画像データに基づき、前記表示装置の閲覧者に付属する付属物から予想される嗜好のキーワードを判定する嗜好判定手段と、
コンテンツデータと当該コンテンツデータに関連付けられるキーワードとを記憶する記憶部を参照し、前記嗜好判定手段により判定された嗜好のキーワードに基づいてコンテンツデータを選択するコンテンツ選択手段と、
前記コンテンツ選択手段により選択されたコンテンツデータを前記表示装置に配信する配信手段と、
を備えることを特徴とする情報配信装置。
【請求項２】
前記情報入力手段により入力された前記撮像画像データに基づき、前記表示装置の閲覧者の属性を判定する属性判定手段を更に備え、
前記記憶部は、コンテンツデータと当該コンテンツデータに関連付けられる属性情報であるメタ情報とを記憶しており、
前記コンテンツ選択手段は、前記記憶部を参照し、前記属性判定手段により判定された閲覧者の属性に基づいてコンテンツデータを選択する、
ことを特徴とする請求項１記載の情報配信装置。
【請求項３】
前記配信手段は、前記嗜好判定手段により複数の嗜好のキーワードが判定され、前記コンテンツ選択手段が複数のコンテンツデータを選択した場合、当該複数のコンテンツデータを前記表示装置に対してランダムに配信する、
ことを特徴とする請求項１または２記載の情報配信装置。
【請求項４】
コンテンツデータを表示する表示部と、
前記表示部に対する所定の範囲を撮像した撮像画像データを所定のタイミングで出力する撮像部と、
前記撮像画像データに基づき、前記表示部の閲覧者に付属する付属物から予想される嗜好のキーワードを判定する嗜好判定手段と、
コンテンツデータと当該コンテンツデータに関連付けられるキーワードとを記憶する記憶部を参照し、前記嗜好判定手段により判定された嗜好のキーワードに基づいてコンテンツデータを選択するコンテンツ選択手段と、
前記コンテンツ選択手段により選択されたコンテンツデータを前記表示部に配信する配信手段と、
を備えることを特徴とする情報表示システム。
【請求項５】
前記情報入力手段により入力された前記撮像画像データに基づき、前記表示部の閲覧者の属性を判定する属性判定手段を更に備え、
前記記憶部は、コンテンツデータと当該コンテンツデータに関連付けられる属性情報であるメタ情報とを記憶しており、
前記コンテンツ選択手段は、前記記憶部を参照し、前記属性判定手段により判定された閲覧者の属性に基づいてコンテンツデータを選択する、
ことを特徴とする請求項４記載の情報表示システム。
【請求項６】
コンピュータを、
コンテンツデータを再生して表示する表示装置に対する所定の範囲を撮像した撮像画像データを入力する情報入力手段と、
前記情報入力手段により入力された前記撮像画像データに基づき、前記表示装置の閲覧者に付属する付属物から予想される嗜好のキーワードを判定する嗜好判定手段と、
コンテンツデータと当該コンテンツデータに関連付けられるキーワードとを記憶する記憶部を参照し、前記嗜好判定手段により判定された嗜好のキーワードに基づいてコンテンツデータを選択するコンテンツ選択手段と、
前記コンテンツ選択手段により選択されたコンテンツデータを前記表示装置に配信する配信手段と、
として機能させるためのプログラム。
【発明の詳細な説明】
【技術分野】
【０００１】
本発明の実施形態は、情報配信装置、情報表示システムおよびプログラムに関する。
【背景技術】
【０００２】
従来、ＰＯＳ（Point  of  Sales）端末の客面表示器、またはサイネージ端末などにデジタル化されたコンテンツを表示再生させる情報表示システム（デジタルサイネージシステム）が知られている。この情報表示システムは、販売促進を図ることを目的として、広告、イベント、お知らせ等のコンテンツを不特定者に提示する。
【０００３】
このような情報表示システムにおいては、サイネージ端末やＰＯＳ端末の前で立ち止まった閲覧者の外観から属性（年齢層、性など）の判断を行うことができるものがある。そして、情報表示システムは、閲覧者の属性の判断結果に応じてコンテンツを選択する。
【発明の概要】
【発明が解決しようとする課題】
【０００４】
従来技術においては、あくまでも閲覧者の外観から年齢層などの属性を判断してコンテンツを選択するものである。しかしながら、閲覧者に対する最も効果的かつ効率の良い広告の実施を可能にするためには、サイネージ端末やＰＯＳ端末の前で立ち止まった閲覧者個人の嗜好を判断することが必要である。
【課題を解決するための手段】
【０００５】
実施形態の情報配信装置は、情報入力手段と、嗜好判定手段と、コンテンツ選択手段と、配信手段と、を備える。情報入力手段は、コンテンツデータを再生して表示する表示装置に対する所定の範囲を撮像した撮像画像データを入力する。嗜好判定手段は、前記情報入力手段により入力された前記撮像画像データに基づき、前記表示装置の閲覧者に付属する付属物から予想される嗜好のキーワードを判定する。コンテンツ選択手段は、コンテンツデータと当該コンテンツデータに関連付けられるキーワードとを記憶する記憶部を参照し、前記嗜好判定手段により判定された嗜好のキーワードに基づいてコンテンツデータを選択する。配信手段は、前記コンテンツ選択手段により選択されたコンテンツデータを前記表示装置に配信する。
【図面の簡単な説明】
【０００６】
【図１】図１は、実施形態にかかる情報表示システムの概略構成を示すブロック図である。
【図２】図２は、サイネージ端末の外観正面図である。
【図３】図３は、サイネージ端末の概略構成を示すブロック図である。
【図４】図４は、情報配信サーバの概略構成を示すブロック図である。
【図５】図５は、コンテンツデータベースに蓄積されるデータの構成を示す図である。
【図６】図６は、キーワードデータベースに蓄積されるデータの構成を示す図である。
【図７】図７は、情報配信サーバの機能構成を示すブロック図である。
【図８】図８は、情報配信サーバにおけるコンテンツの表示処理の流れを示すフローチャートである。
【図９】図９は、コンテンツデータの選択の具体例を示す図である。
【発明を実施するための形態】
【０００７】
図１は、実施形態にかかる情報表示システム１０の概略構成を示すブロック図である。以下の説明では、実施形態にかかる情報表示システム１０がショッピングモールに設けられた場合について説明する。
【０００８】
本実施形態にかかる情報表示システム１０は、いわゆるデジタルサイネージシステムである。情報表示システム１０は、情報配信装置である情報配信サーバ１１と、複数のサイネージ端末１４とを主体に構成されている。
【０００９】
情報配信サーバ１１は、構内ＬＡＮ（Local  Area  Network）等の通信ネットワーク１２を介してサイネージ端末１４に接続されている。情報配信サーバ１１は、情報のコンテンツ（商品の広告情報、イベントの情報など）をサイネージ端末１４に対して配信、またはコンテンツをサイネージ端末１４からのアクセスによって取得させる。
【００１０】
サイネージ端末１４は、表示装置として機能するものであって、通信ネットワーク１２を介して情報配信サーバ１１から配信または取得したコンテンツデータを再生して表示する。
【００１１】
図２は、サイネージ端末１４の外観正面図である。図２に示すように、サイネージ端末１４は、液晶ディスプレイあるいはプラズマディスプレイであって表示部として機能するディスプレイユニット２１と、各種チケット，クーポン等を印刷して発行するプリンタユニット２２と、ディスプレイユニット２１およびプリンタユニット２２を保持する筐体部２４と、を備えている。
【００１２】
また、サイネージ端末１４は、筐体部２４の上部に、撮像部であるカメラユニット２５を備えている。カメラユニット２５は、サイネージ端末１４の前で立ち止まる人物（以下、閲覧者という）を撮像した撮像画像データを出力する。また、カメラユニット２５は、閲覧者が身に着けている物（服装、アクセサリーなど）を撮像した撮像画像データを出力する。
【００１３】
また、サイネージ端末１４は、筐体部２４の下部に、ＢＧＭや広告音声等の各種音響出力を行うスピーカユニット２６を備えている。
【００１４】
図３は、サイネージ端末１４の概略構成を示すブロック図である。図３に示すように、サイネージ端末１４は、上述したように、ディスプレイユニット２１、プリンタユニット２２、カメラユニット２５、およびスピーカユニット２６を備えている。加えて、サイネージ端末１４は、当該サイネージ端末１４全体を制御するコントローラ３１と、ユーザが各種操作を行うための操作部３２と、通信ネットワーク１２を介して情報配信サーバ１１との間で通信を行うためのネットワーク通信インタフェース（ＩＦ）３３と、コンテンツデータなどの各種データを記憶する外部記憶装置３５と、を備えている。
【００１５】
外部記憶装置３５は、ハードディスク装置（ＨＤＤ：Hard  Disk  Drive）あるいはＳＳＤ（Solid  State  Drive）装置などで実現される。また、操作部３２は、各種スイッチ、ボタン等で構成したり、タッチパネルとしてディスプレイユニット２１と一体に構成したりしても良い。
【００１６】
ここで、コントローラ３１は、当該コントローラ３１全体を制御するＭＰＵ（Micro  Processing  Unit）３６と、ＭＰＵ３６が動作するための制御プログラム等を格納したＲＯＭ（Read  Only  Memory）３７と、各種データを一時的に記憶するＲＡＭ（Random  Access  Memory）３８と、を備えている。そして、コントローラ３１は、ＭＰＵ３６がＲＯＭ３７に格納された制御プログラムを実行することにより、各種機能を実行する。例えば、コントローラ３１は、通信ネットワーク１２を介して情報配信サーバ１１から配信されたコンテンツデータを再生して、再生したコンテンツデータをディスプレイユニット２１に表示する。
【００１７】
このような構成により、サイネージ端末１４は、基本的には、情報配信サーバ１１で再生スケジュールとして予め設定された複数のコンテンツデータまたはサイネージ端末１４からのリクエストに応じて決定されたコンテンツデータを受信または取得する。そして、サイネージ端末１４は、ディスプレイユニット２１を用いて、コンテンツデータとして広告する商品（以下、「広告商品」という場合がある）に関する広告情報（広告商品を撮影した動画像や、広告商品を紹介または説明する文章など）を表示する。また、サイネージ端末１４は、スピーカユニット２６を用いて、広告商品を紹介または説明する音声を出力する。
【００１８】
次に、情報配信サーバ１１について説明する。図４は、情報配信サーバ１１の概略構成を示すブロック図である。図４に示すように、情報配信サーバ１１は、当該情報配信サーバ１１全体を制御するコントローラ４１と、ユーザが各種操作を行うためのキーボードやマウス等を有する操作部４２と、通信ネットワーク１２を介してサイネージ端末１４との間で通信を行うためのネットワーク通信インタフェース（ＩＦ）４３と、各種データや制御プログラムを記憶する外部記憶装置４４と、液晶ディスプレイとして構成されたディスプレイユニット４５と、を備えている。外部記憶装置４４は、ハードディスク装置（ＨＤＤ：Hard  Disk  Drive）あるいはＳＳＤ（Solid  State  Drive）装置などで実現される。
【００１９】
ここで、コントローラ４１は、当該コントローラ４１全体を制御するＭＰＵ４６と、ＭＰＵ４６が動作するための制御プログラム等を格納したＲＯＭ４７と、各種データを一時的に記憶するＲＡＭ４８と、を備えている。
【００２０】
即ち、コントローラ４１は、ＭＰＵ４６がＲＯＭ４７や外部記憶装置４４などに格納される制御プログラムをＲＡＭ４８に展開して実行することにより、各種構成要素の動作を制御する。例えば、コントローラ４１は、ネットワーク通信ＩＦ４３および通信ネットワーク１２を介して接続されるサイネージ端末１４との間で、各サイネージ端末１４に配信するコンテンツデータなどの各種データを送受信する動作を制御する。
【００２１】
また、外部記憶装置４４は、記憶部として機能するものであって、コンテンツデータを蓄積するコンテンツデータベースＤＢ１を格納している。なお、本実施形態では、情報配信サーバ１１が有する外部記憶装置４４にコンテンツデータベースＤＢ１が格納されているが、これに限定するものではなく、例えば、情報配信サーバ１１と通信ネットワーク１２を介して接続された記憶装置（図示せず）にコンテンツデータベースＤＢ１が記憶されていても良い。
【００２２】
図５は、コンテンツデータベースＤＢ１に蓄積されるデータの構成を示す図である。図５に示すように、コンテンツデータベースＤＢ１は、コンテンツを識別する識別情報としてコンテンツＩＤと、当該コンテンツＩＤにより識別されるコンテンツのコンテンツ名と、当該コンテンツＩＤにより識別されるコンテンツデータと、コンテンツデータに付加されるメタ情報と、コンテンツデータに付加されるキーワードと、を記憶する。
【００２３】
コンテンツデータは、例えば、商品の販売促進に係わるイベントである優待企画の内容などに特化した画面を表すテンプレートデータに対して、商品を客に広告するための画像（例えば、商品を撮影した動画像、静止画像、テロップなど）を素材データとして当て嵌めたデータである。
【００２４】
コンテンツデータに付加されるメタ情報は、例えば当該コンテンツデータのターゲットとする閲覧者についての年齢および性別である。図５に示すように、例えば、コンテンツ名「アニメ関連商品」にはメタ情報として閲覧者の属性情報「男性、１０代以下」が関連付けられている。また、「ファッション」にはメタ情報として閲覧者の属性情報「女性、２０代」が関連付けられている。
【００２５】
また、コンテンツデータに付加されるキーワードは、コンテンツデータの対象とする閲覧者を指定するための嗜好のキーワードである。
【００２６】
図５に示すように、例えば、コンテンツ名「野球ＣＭ」にはキーワードとして「野球」が関連付けられている。また、「ファッション」にはキーワードとして「カワイイ」が関連付けられている。
【００２７】
図６は、キーワードデータベースＤＢ２に蓄積されるデータの構成を示す図である。図６に示すように、キーワードデータベースＤＢ２は、閲覧者に付属する付属物を示す付属情報と、当該付属情報に関連するキーワードと、を記憶する。
【００２８】
閲覧者の付属情報は、閲覧者が身に着けている物（服装、アクセサリーなど）である。また、付属情報に関連するキーワードは、閲覧者が身に着けている物（服装、アクセサリーなど）から予想される嗜好のキーワードである。服装は、スーツなどである。また、アクセサリーは、カバンに着けるマスコットや腕に巻く数珠などである。
【００２９】
図６に示すように、閲覧者の付属情報として例えばカバンに着けるような「野球チームのマスコット」が設定されている場合、「マスコット」「カワイイ」「野球」などが嗜好のキーワードとして設定される。なお、マスコットがどこの野球チームのキャラクターかが識別できれば、その野球チームに関連する情報を嗜好のキーワードとすることができる。
【００３０】
このような構成により、情報配信サーバ１１のコントローラ４１は、ＲＯＭ４７に記憶された制御プログラムに従ってＭＰＵ４６を動作させることで、予め作成されたタイムスケジュールに従ったコンテンツデータまたはサイネージ端末１４から送信された閲覧者の情報に応じて決定されたコンテンツデータをサイネージ端末１４に配信する。
【００３１】
次に、実施形態にかかる情報配信装置である情報配信サーバ１１が有する特徴的な機能について説明する。概略的には、情報配信サーバ１１は、閲覧者の属性や閲覧者が身に着けている物（服装、アクセサリーなど）に応じて決定される嗜好に応じてサイネージ端末１４に配信するコンテンツを変更する機能を有している。
【００３２】
図７は、情報配信サーバ１１の機能構成を示すブロック図である。コントローラ４１は、ＲＯＭ４７に記憶された制御プログラムに従ってＭＰＵ４６を動作させることで、図７に示すように、情報入力手段４６１、属性判定手段４６２、嗜好判定手段４６３、コンテンツ選択手段４６４、配信手段４６５として機能する。
【００３３】
情報入力手段４６１は、サイネージ端末１４に対して所定の範囲内にいる人物をサイネージ端末１４に設けられたカメラユニット２５により撮像した撮像画像データを、閲覧者の情報として入力する。
【００３４】
属性判定手段４６２は、情報入力手段４６１により入力された閲覧者の情報（撮像画像データ）に基づき閲覧者の属性（年齢および性別）を判定する。属性判定手段４６２による閲覧者についての年齢および性別の判定手法としては、カメラユニット２５による撮像画像データの各閲覧者の顔画像から特徴量を抽出し、当該特徴量に基づいてその人物の年齢・性別を判別する周知の手法を用いることができる。
【００３５】
嗜好判定手段４６３は、情報入力手段４６１により入力された閲覧者の情報（撮像画像データ）に基づき閲覧者が身に着けている付属物（服装、アクセサリーなど）から予想される嗜好のキーワードをキーワードデータベースＤＢ２に基づいて判定する。嗜好判定手段４６３による閲覧者が身に着けている付属物の特定手法としては、カメラユニット２５による撮像画像データの各閲覧者の画像に対するパターンマッチングによって特定する周知の手法を用いることができる。
【００３６】
コンテンツ選択手段４６４は、コンテンツデータベースＤＢ１を参照し、嗜好判定手段４６３により判定された嗜好のキーワードに基づいてコンテンツデータを選択する。また、コンテンツ選択手段４６４は、コンテンツデータベースＤＢ１を参照し、属性判定手段４６２により判定された閲覧者の属性に基づいてコンテンツデータを選択する。
【００３７】
配信手段４６５は、コンテンツ選択手段４６４により選択されたコンテンツデータをサイネージ端末１４に配信する。
【００３８】
次に、上述した本実施形態に係る情報表示システム１０におけるコンテンツの表示処理について説明する。なお、情報表示システム１０は、通常、予め作成されたタイムスケジュールに従ってコンテンツデータをサイネージ端末１４に対して配信し、サイネージ端末１４にコンテンツデータの再生を実行させる。一方、本実施形態に係る情報表示システム１０におけるコンテンツの表示処理は、サイネージ端末１４から送信された閲覧者の情報に応じて決定されたコンテンツデータをサイネージ端末１４に配信するものである。
【００３９】
図８は、情報配信サーバ１１におけるコンテンツの表示処理の流れを示すフローチャートである。なお、前提条件として、サイネージ端末１４は、カメラユニット２５により撮像した撮像画像データを、所定のタイミング（例えば、１分間隔）で情報配信サーバ１１に送信する。
【００４０】
図８に示すように、まず、情報配信サーバ１１の情報入力手段４６１は、カメラユニット２５により撮像した撮像画像データを所定のタイミング（例えば、１分間隔）で受信すると、閲覧者の情報として入力する（ステップＳ１）。
【００４１】
次いで、情報配信サーバ１１の属性判定手段４６２は、撮像画像データに基づいて閲覧者の属性（年齢および性別）の判定を行う（ステップＳ２）。また、情報配信サーバ１１の嗜好判定手段４６３は、撮像画像データに基づいて閲覧者が身に着けている付属物（服装、アクセサリーなど）の判定を行う（ステップＳ３）。
【００４２】
次いで、情報配信サーバ１１のコンテンツ選択手段４６４は、閲覧者の属性が判定された場合（ステップＳ２のＹｅｓ）、ステップＳ４に進む。情報配信サーバ１１のコンテンツ選択手段４６４は、コンテンツデータベースＤＢ１を参照し、ステップＳ２で判定した閲覧者の属性に関連するメタ情報が付加されているコンテンツデータを選択する（ステップＳ４）。
【００４３】
加えて、情報配信サーバ１１の嗜好判定手段４６３は、閲覧者が身に着けている物が判定された場合（ステップＳ３のＹｅｓ）、ステップＳ５に進む。情報配信サーバ１１の嗜好判定手段４６３は、キーワードデータベースＤＢ２を参照し、ステップＳ３で判定した閲覧者が身に着けている付属物である付属情報に関連するキーワードを選択する（ステップＳ５）。さらに、情報配信サーバ１１のコンテンツ選択手段４６４は、コンテンツデータベースＤＢ１を参照し、ステップＳ５で選択したキーワードが付加されているコンテンツデータを選択する（ステップＳ６）。
【００４４】
なお、情報配信サーバ１１のＭＰＵ４６は、サイネージ端末１４から送られた撮像画像データに基づき、閲覧者の属性が判定されず（ステップＳ２のＮｏ）、かつ、閲覧者が身に着けている物も判定されない場合（ステップＳ３のＮｏ）、処理を終了し、次のサイネージ端末１４からの撮像画像データの入力に待機する。
【００４５】
そして、情報配信サーバ１１の配信手段４６５は、ステップＳ４とステップＳ６とで選択された１ないし複数のコンテンツデータをサイネージ端末１４に対してランダムに配信し（ステップＳ７）、サイネージ端末１４にコンテンツデータの再生を実行させる。
【００４６】
図９は、コンテンツデータの選択の具体例を示す図である。図９に示す例では、属性判定手段４６２によって閲覧者の属性が「男性、１０代以下」と判定されている。また、嗜好判定手段４６３によって閲覧者が身に着けている付属物が「カバンに着けるマスコット」であると判定され、この「カバンに着けるマスコット」に関連するキーワードが「マスコット」「野球」「カワイイ」である。これにより、図９に示す例では、コンテンツデータベースＤＢ１において、閲覧者の属性情報「男性、１０代以下」が関連付けられている“Ｂ０００１”の「アニメ関連商品」のコンテンツデータと、嗜好のキーワードである「カワイイ」が関連付けられている“Ｂ０００２”の「ファッション」のコンテンツデータと、嗜好のキーワードである「野球」が関連付けられている“Ｃ０００２”の「野球ＣＭ」のコンテンツデータとが、選択されている。
【００４７】
そして、図９に示す例では、“Ｂ０００１”の「アニメ関連商品」のコンテンツデータと、“Ｂ０００２”の「ファッション」のコンテンツデータと、“Ｃ０００２”の「野球ＣＭ」のコンテンツデータとが、ランダムにサイネージ端末１４に再生される。
【００４８】
このようにすることで、閲覧者の外観からおおよその年齢層および性別を判断し、閲覧者の属性（年齢および性別）に合わせた広告を表示させることができる。年齢層は未成年（〜１９歳）、２０〜３９歳、４０〜５９歳、６０歳以降といったように大まかに区切ることによって、極力表示させる広告が興味をひかないものを表示させないようにすることもできる。加えて、閲覧者が身に着けている物から予想される嗜好に合わせた広告も表示させることができる。
【００４９】
このように本実施形態によれば、予めコンテンツデータに対してキーワードを付加しておく。そして、情報配信サーバ１１は、サイネージ端末１４から閲覧者の情報（撮像画像データ）が送られてきた場合、閲覧者の情報（撮像画像データ）に基づいて、閲覧者が身に着けている物（服装、アクセサリーなど）から嗜好のキーワードを抽出する。情報配信サーバ１１は、抽出した嗜好のキーワードに基づいてコンテンツデータに対して付加されたキーワードを検索する。そして、情報配信サーバ１１は、嗜好のキーワードに一致するキーワードが付加されたコンテンツデータをサイネージ端末１４に対して配信する。これにより、客の外観から予想される嗜好のキーワードとコンテンツデータに対応付けられたキーワードがリンクした広告（コンテンツデータ）をサイネージ端末１４に表示させることで、閲覧者に対する最も効果的かつ効率の良い広告の実施を可能にするので、顧客の購買意欲の促進を図ることができる。
【００５０】
なお、本実施形態においては、サイネージシステムとして情報配信サーバ１１と、複数のサイネージ端末１４とを主体に構成されている情報表示システム１０を適用するようにしたが、これに限るものではない。例えば、サイネージシステムとしてサイネージ端末１４を適用して、情報配信サーバ１１における処理動作をサイネージ端末１４に実行させるようにしても良い。
【００５１】
また、本実施形態においては、情報配信サーバ１１に属性判定手段４６２および嗜好判定手段４６３を設けて、情報入力手段４６１により入力された撮像画像データに基づき閲覧者の属性および閲覧者が身に着けている物を判定するようにしたが、これに限るものではなく、属性判定手段４６２および嗜好判定手段４６３をサイネージ端末１４において実行させるようにしても良い。
【００５２】
なお、本実施形態においては、情報表示システム１０としてデジタルサイネージシステムを適用することによって、情報配信装置として情報配信サーバ１１を適用し、表示装置（表示部）としてサイネージ端末１４を適用したが、これに限るものではない。例えば、情報表示システム１０としてスーパーマーケットやコンビニエンスストア等に設置される商品販売データ処理システムを適用するようにしても良い。この場合、情報配信装置としては、ＰＯＳ（Point  of  Sales）端末や当該ＰＯＳ端末の上位のサーバ装置等が適用される。また、表示装置（表示部）としては、ＰＯＳ端末に設けられる客面表示器等が適用される。
【００５３】
本実施形態の情報配信サーバ１１またはサイネージ端末１４で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。
【００５４】
また、本実施形態の情報配信サーバ１１またはサイネージ端末１４で実行されるプログラムを、インターネット等のネットワークに接続されたコンピュータ上に格納し、ネットワーク経由でダウンロードさせることにより提供するように構成しても良い。また、本実施形態の情報配信サーバ１１またはサイネージ端末１４で実行されるプログラムをインターネット等のネットワーク経由で提供または配布するように構成しても良い。
【００５５】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。実施形態やその変形は、発明の範囲や要旨に含まれるとともに、特許請求の範囲に記載された発明とその均等の範囲に含まれる。
【符号の説明】
【００５６】
１０      情報表示システム
１１      情報配信装置
４６２    属性判定手段
４６１    情報入力手段
４６３    嗜好判定手段
４６４    コンテンツ選択手段
４６５    配信手段
【先行技術文献】
【特許文献】
【００５７】
【特許文献１】特開２００８−２４９７８４号公報
【特許文献２】特開２０１０−２２４３２９号公報
【図１】
2014146242.tif 000003
【図２】
2014146242.tif 000004
【図３】
2014146242.tif 000005
【図４】
2014146242.tif 000006
【図５】
2014146242.tif 000007
【図６】
2014146242.tif 000008
【図７】
2014146242.tif 000009
【図８】
2014146242.tif 000010
【図９】
2014146242.tif 000011